(57)【特許請求の範囲】
【請求項１】
被写体からの光を撮像する撮像部と、
前記撮像部による焦点調節動作または露出制御動作を含む撮影準備動作を指示する第１指示の入力に応じて、前記撮影準備動作と前記撮像部による撮影動作を開始し、撮影画像の記録指示を行う第２指示が入力された場合に、前記第２指示の入力前後において前記撮像部で取得された複数の画像データを記録する記録部と、
前記複数の画像データごとに算出された評価値の高い順に画像を選別する画像選別部と、
を備え、
前記第１指示と前記第２指示との時間差が所定時間以内である場合に、前記記録部に記録される前記画像データのフレーム数を減少させる画像数減少制御、及び前記記録部に記録される前記画像データの評価値に対する重みを小さくする重み制御の少なくとも一方を行ない、
前記画像数減少制御においては、前記第１指示の入力と前記第２指示の入力との時間差が短いほど減少数を多くすることを特徴とする撮像装置。
【請求項２】
被写体からの光を撮像する撮像部と、
前記撮像部による焦点調節動作または露出制御動作を含む撮影準備動作を指示する第１指示の入力に応じて、前記撮影準備動作と前記撮像部による撮影動作を開始し、撮影画像の記録指示を行う第２指示が入力された場合に、前記第２指示の入力前後において前記撮像部で取得された複数の画像データを記録する記録部と、
前記複数の画像データごとに算出された評価値の高い順に画像を選別する画像選別部と、
を備え、
前記第１指示と前記第２指示との時間差が所定時間以内である場合に、前記記録部に記録される前記画像データのフレーム数を減少させる画像数減少制御、及び前記記録部に記録される前記画像データの評価値に対する重みを小さくする重み制御の少なくとも一方を行ない、
前記画像数減少制御においては、前記第１指示の入力が行われた際に撮影を行っていた被写体に動きがない場合には動きがある場合に比較して減少数を多くすることを特徴とする撮像装置。
【請求項３】
被写体からの光を撮像する撮像部と、
前記撮像部による焦点調節動作または露出制御動作を含む撮影準備動作を指示する第１指示の入力に応じて、前記撮影準備動作と前記撮像部による撮影動作を開始し、撮影画像の記録指示を行う第２指示が入力された場合に、前記第２指示の入力前後において前記撮像部で取得された複数の画像データを記録する記録部と、
前記複数の画像データごとに算出された評価値の高い順に画像を選別する画像選別部と、
を備え、
前記第１指示と前記第２指示との時間差が所定時間以内である場合に、前記記録部に記録される前記画像データのフレーム数を減少させる画像数減少制御、及び前記記録部に記録される前記画像データの評価値に対する重みを小さくする重み制御の少なくとも一方を行ない、
前記画像数減少制御においては、前記第１指示の入力の前後の被写体の画像の変化量が小さいほど減少数を多くすることを特徴とする撮像装置。
【請求項４】
被写体からの光を撮像する撮像部と、
前記撮像部による焦点調節動作または露出制御動作を含む撮影準備動作を指示する第１指示の入力に応じて、前記撮影準備動作と前記撮像部による撮影動作を開始し、撮影画像の記録指示を行う第２指示が入力された場合に、前記第２指示の入力前後において前記撮像部で取得された複数の画像データを記録する記録部と、
前記複数の画像データごとに算出された評価値の高い順に画像を選別する画像選別部と、
を備え、
前記第１指示と前記第２指示との時間差が所定時間以内である場合に、前記記録部に記録される前記画像データのフレーム数を減少させる画像数減少制御、及び前記記録部に記録される前記画像データの評価値に対する重みを小さくする重み制御の少なくとも一方を行ない、
前記重み制御においては、前記第１指示の入力と前記第２指示の入力との時間差が短いほど、前記第２指示の入力からの時間経過に応じて小さくする重みの低下の割合を大きくすることを特徴とする撮像装置。
【請求項５】
被写体からの光を撮像する撮像部と、
前記撮像部による焦点調節動作または露出制御動作を含む撮影準備動作を指示する第１指示の入力に応じて、前記撮影準備動作と前記撮像部による撮影動作を開始し、撮影画像の記録指示を行う第２指示が入力された場合に、前記第２指示の入力前後において前記撮像部で取得された複数の画像データを記録する記録部と、
前記複数の画像データごとに算出された評価値の高い順に画像を選別する画像選別部と、
を備え、
前記第１指示と前記第２指示との時間差が所定時間以内である場合に、前記記録部に記録される前記画像データのフレーム数を減少させる画像数減少制御、及び前記記録部に記録される前記画像データの評価値に対する重みを小さくする重み制御の少なくとも一方を行ない、
前記重み制御においては、前記第１指示の入力が行われた際に撮影を行っていた被写体に動きがない場合には動きがある場合に比較して、前記第２指示の入力からの時間経過に応じて小さくする重みの低下の割合を大きくすることを特徴とする撮像装置。
【請求項６】
被写体からの光を撮像する撮像部と、
前記撮像部による焦点調節動作または露出制御動作を含む撮影準備動作を指示する第１指示の入力に応じて、前記撮影準備動作と前記撮像部による撮影動作を開始し、撮影画像の記録指示を行う第２指示が入力された場合に、前記第２指示の入力前後において前記撮像部で取得された複数の画像データを記録する記録部と、
前記複数の画像データごとに算出された評価値の高い順に画像を選別する画像選別部と、
を備え、
前記第１指示と前記第２指示との時間差が所定時間以内である場合に、前記記録部に記録される前記画像データのフレーム数を減少させる画像数減少制御、及び前記記録部に記録される前記画像データの評価値に対する重みを小さくする重み制御の少なくとも一方を行ない、
前記重み制御においては、前記第１指示の入力の前後の被写体の画像の変化量が小さいほど、前記第２指示の入力からの時間経過に応じて小さくする重みの低下の割合を大きくすることを特徴とする撮像装置。
【発明の詳細な説明】
【技術分野】
【０００１】
本発明は、画像選別機能を有する撮像装置に関するものである。
【背景技術】
【０００２】
従来、撮影者が望む画像を確実に取得できるように、撮影準備の開始を指示するファーストレリーズによる合焦が終了すると、撮影を指示するセカンドレリーズの有無にかかわらず画像の記録を開始し、セカンドレリーズが行なわれたときに、このセカンドレリーズに対応する画像を基準画像として、基準画像の前に撮影された所定枚数の画像及び基準画像の後に撮影された所定枚数の画像をメモリカードに記録する電子カメラが存在する（例えば、特許文献１参照）。
【先行技術文献】
【特許文献】
【０００３】
【特許文献１】特開２００１−３１３８６５号公報
【発明の概要】
【発明が解決しようとする課題】
【０００４】
ところで、上述の電子カメラにおいて、ファーストレリーズとセカンドレリーズが略同時に行なわれる、いわゆるレリーズボタンの一気押しが行なわれた場合、撮影指示前の画像は記録されないため、撮影指示後の画像を所定枚数記録し、その中から最適画像の選別を行うことになる。しかしながら、いわゆるレリーズボタンの一気押しが行なわれた場合に記録された画像には、撮影タイミングを逃した複数枚の画像が含まれる可能性が高く、メモリを無駄に使用することになると共に画像選別のために無駄な画像処理を行うことになる。
【０００５】
本発明の目的は、画像選別機能を有する撮像装置において撮影準備動作の指示の直後に撮影画像の記録指示が行なわれた場合においても効率的に画像の選別を行うことができる撮像装置を提供することである。
【課題を解決するための手段】
【０００７】
本発明の撮像装置は、被写体からの光を撮像する撮像部と、前記撮像部による焦点調節動作または露出制御動作を含む撮影準備動作を指示する第１指示の入力に応じて、前記撮影準備動作と前記撮像部による撮影動作を開始し、撮影画像の記録指示を行う第２指示が入力された場合に、前記第２指示の入力前後において前記撮像部で取得された複数の画像データを記録する記録部と、前記複数の画像データごとに算出された評価値の高い順に画像を選別する画像選別部と、を備え、前記第１指示と前記第２指示との時間差が所定時間以内である場合に、前記記録部に記録される前記画像データのフレーム数を減少させる画像数減少制御、及び前記記録部に記録される前記画像データの評価値に対する重みを小さくする重み制御の少なくとも一方を行ない、前記画像数減少制御においては、前記第１指示の入力と前記第２指示の入力との時間差が短いほど減少数を多くすることを特徴とする。
また、本発明の撮像装置は、被写体からの光を撮像する撮像部と、前記撮像部による焦点調節動作または露出制御動作を含む撮影準備動作を指示する第１指示の入力に応じて、前記撮影準備動作と前記撮像部による撮影動作を開始し、撮影画像の記録指示を行う第２指示が入力された場合に、前記第２指示の入力前後において前記撮像部で取得された複数の画像データを記録する記録部と、前記複数の画像データごとに算出された評価値の高い順に画像を選別する画像選別部と、を備え、前記第１指示と前記第２指示との時間差が所定時間以内である場合に、前記記録部に記録される前記画像データのフレーム数を減少させる画像数減少制御、及び前記記録部に記録される前記画像データの評価値に対する重みを小さくする重み制御の少なくとも一方を行ない、前記画像数減少制御においては、前記第１指示の入力が行われた際に撮影を行っていた被写体に動きがない場合には動きがある場合に比較して減少数を多くすることを特徴とする。
また、本発明の撮像装置は、被写体からの光を撮像する撮像部と、前記撮像部による焦点調節動作または露出制御動作を含む撮影準備動作を指示する第１指示の入力に応じて、前記撮影準備動作と前記撮像部による撮影動作を開始し、撮影画像の記録指示を行う第２指示が入力された場合に、前記第２指示の入力前後において前記撮像部で取得された複数の画像データを記録する記録部と、前記複数の画像データごとに算出された評価値の高い順に画像を選別する画像選別部と、を備え、前記第１指示と前記第２指示との時間差が所定時間以内である場合に、前記記録部に記録される前記画像データのフレーム数を減少させる画像数減少制御、及び前記記録部に記録される前記画像データの評価値に対する重みを小さくする重み制御の少なくとも一方を行ない、前記画像数減少制御においては、前記第１指示の入力の前後の被写体の画像の変化量が小さいほど減少数を多くすることを特徴とする。
また、本発明の撮像装置は、被写体からの光を撮像する撮像部と、前記撮像部による焦点調節動作または露出制御動作を含む撮影準備動作を指示する第１指示の入力に応じて、前記撮影準備動作と前記撮像部による撮影動作を開始し、撮影画像の記録指示を行う第２指示が入力された場合に、前記第２指示の入力前後において前記撮像部で取得された複数の画像データを記録する記録部と、前記複数の画像データごとに算出された評価値の高い順に画像を選別する画像選別部と、を備え、前記第１指示と前記第２指示との時間差が所定時間以内である場合に、前記記録部に記録される前記画像データのフレーム数を減少させる画像数減少制御、及び前記記録部に記録される前記画像データの評価値に対する重みを小さくする重み制御の少なくとも一方を行ない、前記重み制御においては、前記第１指示の入力と前記第２指示の入力との時間差が短いほど、前記第２指示の入力からの時間経過に応じて小さくする重みの低下の割合を大きくすることを特徴とする。
また、本発明の撮像装置は、被写体からの光を撮像する撮像部と、前記撮像部による焦点調節動作または露出制御動作を含む撮影準備動作を指示する第１指示の入力に応じて、前記撮影準備動作と前記撮像部による撮影動作を開始し、撮影画像の記録指示を行う第２指示が入力された場合に、前記第２指示の入力前後において前記撮像部で取得された複数の画像データを記録する記録部と、前記複数の画像データごとに算出された評価値の高い順に画像を選別する画像選別部と、を備え、前記第１指示と前記第２指示との時間差が所定時間以内である場合に、前記記録部に記録される前記画像データのフレーム数を減少させる画像数減少制御、及び前記記録部に記録される前記画像データの評価値に対する重みを小さくする重み制御の少なくとも一方を行ない、前記重み制御においては、前記第１指示の入力が行われた際に撮影を行っていた被写体に動きがない場合には動きがある場合に比較して、前記第２指示の入力からの時間経過に応じて小さくする重みの低下の割合を大きくすることを特徴とする。
また、本発明の撮像装置は、被写体からの光を撮像する撮像部と、前記撮像部による焦点調節動作または露出制御動作を含む撮影準備動作を指示する第１指示の入力に応じて、前記撮影準備動作と前記撮像部による撮影動作を開始し、撮影画像の記録指示を行う第２指示が入力された場合に、前記第２指示の入力前後において前記撮像部で取得された複数の画像データを記録する記録部と、前記複数の画像データごとに算出された評価値の高い順に画像を選別する画像選別部と、を備え、前記第１指示と前記第２指示との時間差が所定時間以内である場合に、前記記録部に記録される前記画像データのフレーム数を減少させる画像数減少制御、及び前記記録部に記録される前記画像データの評価値に対する重みを小さくする重み制御の少なくとも一方を行ない、前記重み制御においては、前記第１指示の入力の前後の被写体の画像の変化量が小さいほど、前記第２指示の入力からの時間経過に応じて小さくする重みの低下の割合を大きくすることを特徴とする。
【発明の効果】
【０００８】
本発明によれば、画像選別機能を有する撮像装置において撮影準備動作の指示の直後に撮影画像の記録指示が行なわれた場合においても効率的に画像の選別を行うことができる。
【図面の簡単な説明】
【０００９】
【図１】第１の実施の形態に係る電子カメラのシステム構成を示すブロック図である。
【図２】第１の実施の形態に係る取得画像と評価値の関係を示す図である。
【図３】第１の実施の形態に係るレリーズボタンの一気押しが行なわれた場合のバッファメモリに保持する画像データを示す図である。
【図４】第２の実施の形態に係るレリーズボタンの一気押しが行なわれた場合のバッファメモリに保持する画像データと画像データに対する重みを示す図である。
【発明を実施するための形態】
【００１０】
以下、図面を参照して、本発明の第１実施の形態に係る撮像装置としての電子カメラについて説明する。図１は第１の実施の形態に係る電子カメラ２のシステム構成を示すブロック図である。図１に示すように、電子カメラ２は、マイクロプロセッサ等により構成され電子カメラ２の各部を統括的に制御する制御部１０を備えている。制御部１０には、撮像素子１２、ＬＣＤ表示部１４、バッファメモリ１６、プログラムメモリ１７、メモリカード１８及び操作部２０が接続されている。
【００１１】
撮像素子１２は、ＣＭＯＳイメージセンサ等により構成され、撮影レンズ（図示せず）を介した被写体からの光を撮像し、制御部１０に対して撮像信号を出力する。またＣＭＯＳイメージセンサには瞳分割位相差方式による焦点検出画素が組み込まれており、制御部１０に対して焦点検出信号を出力する。
【００１２】
ＬＣＤ表示部１４は、電子カメラ２の背面部に配置され、撮像素子１２からの撮像信号に基づくスルー画像等を表示する。バッファメモリ１６は、撮像素子１２から出力された撮像信号に基づく複数フレームの画像データを一時的に保持する。プログラムメモリ１７は、制御部１０が電子カメラ２の各部を統括的に制御し、撮像処理、再生処理、画像選別処理などの各処理を実施するためのプログラムを記憶する。メモリカード１８は、電子カメラ２に設けられたカードスロット（図示せず）に着脱可能に装着される可搬性を有する記憶媒体であり、例えば、ＣＦカード、ＳＤカード、スマートメディア等が用いられる。
【００１３】
操作部２０は、電子カメラ２の電源をオン／オフする電源スイッチＳＷ１、レリーズボタン（図示せず）を半押し位置まで押下することによりオンする半押しスイッチＳＷ２、レリーズボタンの全押しによりオンする全押しスイッチＳＷ３を備えている。
【００１４】
次に、図２を参照して、電子カメラ２の画像選別機能を用いた画像の選択処理について説明する。まず、操作部２０の電源スイッチＳＷ１がオンされると、電子カメラ２は、静止画像の撮影を行う撮影モードとして起動し、制御部１０は、撮像素子１２による撮像を開始し、撮像素子１２から所定のフレームレート（例えば３０ｆｐｓ）で読み出した撮像信号に基づきＬＣＤ表示部１４にスルー画像の表示を行う。この状態において、操作者が撮影準備動作の指示のためにレリーズボタンを半押し位置まで押下すると、半押しスイッチＳＷ２がオンされる（Ｓ１）。
【００１５】
半押しスイッチＳＷ２がオンされると、制御部１０は、露出制御動作(ＡＥ)及び焦点調節動作（ＡＦ）を開始する。即ち、撮像素子１２から出力される撮像信号に基づいて露出制御動作を行い、適正露出が得られるようにシャッター速度および絞り値を確定する。例えば、平均測光方式によって被写体の明るさ（輝度）情報を検出する場合には、スルー画像を構成する信号値を平均して得た値を被写体の輝度情報とし、この被写体の輝度情報に基づいて最適露出値を確定してシャッター速度および絞り値を確定する。また、制御部１０は、撮像素子１２から読出された焦点検出信号を用いた焦点検出処理によりデフォーカス量を求め、図示しない撮影レンズの合焦を行なう。
【００１６】
制御部１０は、露出制御動作(ＡＥ)及び焦点調節動作（ＡＦ）が完了すると、画像データのプリキャプチャーを開始する。即ち、制御部１０は、複数フレームの画像データをプリキャプチャーの画像データとして連続取得し、取得した複数フレームの画像データをバファメモリ１６に保持する。ここで、バファメモリ１６に保持する複数フレームの画像データの数は、プリキャプチャー設定数として、例えば１０と定められている（図２参照）。従って、制御部１０は、バファメモリ１６に保持された画像データの数が１０に達した場合には、古い画像データから順に上書き消去する。これによりプリキャプチャーのために使用するバファメモリ１６の容量を節約することができる。
【００１７】
次に、撮影画像の記録指示を行うためにレリーズボタンが全押し位置まで押下されると全押しスイッチＳＷ３がオンされる（Ｓ２）。これにより制御部１０は、画像データのポストキャプチャーを開始する。即ち、制御部１０は、複数フレームの画像データをポストキャプチャーの画像データとして連続取得し、取得した複数フレームの画像データをバファメモリ１６に保持する。ここで、バファメモリ１６に保持する複数フレームの画像データの数は、ポストキャプチャー設定数として、例えば１０と定められている（図２参照）。なお、画像データのプリキャプチャー及びポストキャプチャー中においても簡易的な焦点調節動作は継続される。
【００１８】
次に、制御部１０は、バファメモリ１６に保持された画像データ、即ち、プリキャプチャーにより取得した１０の画像データとポストキャプチャーにより取得した１０の画像データ、即ち２０の画像データを読み出し、この２０の画像データを画像選別の候補画像データとして、各画像データについて画像解析を行い画像選別のための評価処理項目に基づいて評価値の算出を行う。ここで、画像選別のための評価処理項目としては、評価対象画像における鮮鋭度、評価対象画像における「顔」の目瞑りの有無、評価対象画像における「顔」の最大面積、評価対象画像における「顔」の笑顔の度合い、評価対象画像における被写体の大きさ等がある。従って、評価値の算出においては、これらの評価処理項目毎の評価値を算出し、算出された評価処理項目毎の評価値を用いて各画像データの評価値を算出する。なお、評価値の算出においては、ここで挙げた全ての評価処理項目を用いる必要はなく、適宜評価処理項目を選択して用いてもよい。
【００１９】
一般に画像の評価値は、図２に示すように画像データのプリキャプチャー時において上昇し、全押しスイッチＳＷ３がオンされた時（Ｓ２）の直前に最大値（ベストショット）となり、その後降下する。これは通常撮影者が撮影中に、真の撮影タイミングを認識してから、実際にレリーズボタンを全押しするまでの間に若干のタイムラグが生じるためである。
【００２０】
各画像データについて評価値を算出すると、制御部１０は、評価値の高い順に所定枚数（例えば１枚または複数枚）の画像データを記録画像として選別し、選別された各画像データに評価値をタグ情報として付加し、Ｅｘｉｆ等の所定のファイル形式でメモリカード１８に記録する。
【００２１】
ここで、図３に示すように、半押しスイッチＳＷ２のオン（Ｓ１）と全押しスイッチＳＷ３のオン（Ｓ２）が略同時（例えばＳ１とＳ２の時間差が１秒以内）である、いわゆるレリーズボタンの一気押しが行なわれた場合には、制御部１０は、露出制御動作(ＡＥ)及び焦点調節動作（ＡＦ）が完了した後に、画像データのポストキャプチャーを開始する。ここでポストキャプチャー設定数ａは、予めａ＝１０と定められているが、ポストキャプチャーにより取得する画像数を減少させ、５枚分の画像データをバッファメモリ１６に保持し、それ以降の画像データの保持は行わない。
【００２２】
次に、制御部１０は、バファメモリ１６に保持された画像データ、即ちポストキャプチャーにより取得した５枚分の画像データを画像選別の候補画像データとして、各候補画像データについて画像解析を行い画像選別のための評価処理項目に基づいて評価値の算出を行う。
【００２３】
各画像データについて評価値を算出すると、制御部１０は、評価値の高い順に所定枚数（例えば１枚または複数枚）の画像データを記録画像として選別し、選別された各画像データに評価値をタグ情報として付加し、Ｅｘｉｆ等の所定のファイル形式でメモリカード１８に記録する。
【００２４】
この実施の形態によれば、画像選別機能を有する電子カメラにおいて、いわゆるレリーズボタンの一気押しが行なわれた場合においても効率的に画像の選別を行うことができる。即ち、いわゆるレリーズボタンの一気押しは、撮影者が真の撮影タイミングが到来したと認識した場合に行なわれる。従って、バッファメモリにポストキャプチャーにより取得した多くの画像データを保持する場合には、撮影タイミングを逃した画像データを多く保持することになる可能性が高い。そこでポストキャプチャーにより取得する画像データの数を減少させることにより、バッファメモリを無駄に使用することを防止すると共に、画像選別処理に要する時間を短縮することができ、効率的に画像の選別を行うことができる。
【００２５】
なお、上述の第１の実施の形態においては、半押しスイッチＳＷ２のオン（Ｓ１）と全押しスイッチＳＷ３のオン（Ｓ２）が略同時（例えばＳ１とＳ２の時間差が１秒以内）であった場合、即ちいわゆるレリーズボタンの一気押しが行なわれた場合に、制御部１０は画像データのポストキャプチャーで取得する画像データの数を１０から５に削減しているが、半押しスイッチＳＷ２のオン（Ｓ１）と全押しスイッチＳＷ３のオン（Ｓ２）の時間差に応じて、時間差が小さいほど削減数を多くしてポストキャプチャーで取得する画像データの数を変化させるようにしてもよい。例えば、半押しスイッチＳＷ２のオン（Ｓ１）と全押しスイッチＳＷ３のオン（Ｓ２）の時間差が０．５秒未満の場合には、ポストキャプチャーで取得する画像データの数を５、半押しスイッチＳＷ２のオン（Ｓ１）と全押しスイッチＳＷ３のオン（Ｓ２）の時間差が０．５秒以上０．８秒未満の場合には、ポストキャプチャーで取得する画像データの数を６、半押しスイッチＳＷ２のオン（Ｓ１）と全押しスイッチＳＷ３のオン（Ｓ２）の時間差が０．８秒以上１．０秒以内の場合には、ポストキャプチャーで取得する画像データの数を７等としてもよい。
【００２６】
また、いわゆるレリーズボタンの一気押しが行なわれた場合に、半押しスイッチＳＷ２のオン（Ｓ１）前の被写体の状態に応じてポストキャプチャーで取得する画像データの数を変化させるようにしてもよい。例えば、被写体に動きがある場合には、被写体に動きがない場合に比較してポストキャプチャーで取得する画像データの数の減少量を少なくする。
【００２７】
また、いわゆるレリーズボタンの一気押しが行なわれた場合に、半押しスイッチＳＷ２のオン（Ｓ１）前後の画像の変化量が大きい場合には、変化量が小さい場合に比較してポストキャプチャーで取得する画像データの数の減少量を少なくするようにしてもよい。
【００２８】
次に、本発明の第２の実施の形態に係る電子カメラについて説明する。なお、第２の実施の形態に係る電子カメラの構成は、図１に示す電子カメラ２と同様であるため、第２の実施の形態に係る電子カメラの説明においては、第１の実施の形態に係る電子カメラ２の構成に付したのと同一の符号を用いる。
【００２９】
この第２の実施の形態においては、図４に示すように、半押しスイッチＳＷ２のオン（Ｓ１）と全押しスイッチＳＷ３のオン（Ｓ２）が略同時（例えばＳ１とＳ２の時間差が１秒以内）である、いわゆるレリーズボタンの一気押しがなされた場合には、制御部１０は、露出制御動作(ＡＥ)及び焦点調節動作（ＡＦ）が完了した後に、画像データのポストキャプチャーを開始する。ここでポストキャプチャー設定数ａは、予めａ＝１０と定められているため、ポストキャプチャーにより１０枚分の画像データを取得し、この１０枚分の画像データのそれぞれの評価値を算出すると共に評価値のそれぞれに対する重みを変化させる重み制御を行なう。
【００３０】
図４の下部に示すグラフは、半押しスイッチＳＷ２のオン（Ｓ１）と全押しスイッチＳＷ３のオン（Ｓ２）が略同時であった場合の、露出制御動作(ＡＥ)及び焦点調節動作（ＡＦ）の完了後に取得された画像データの評価値に対する補正係数を示す。この図に示すように、全押しスイッチＳＷ３がオンされた時点（Ｓ２）におけるポストキャプチャーで取得された画像データの評価値に対する重みを１．０とし、全押しスイッチＳＷ３がオンされた時点（Ｓ２）から時間の経過に従って重みを小さくし、６枚目以降の画像データの評価値に対する重みを０としている。従って、ポストキャプチャーで取得されたそれぞれの画像データの評価値に対して図４に示す重みを乗算して、画像データの評価値に対する重み制御を行なう。
【００３１】
各画像データの評価値に対する重み制御が終了すると、制御部１０は、評価値の高い順に所定枚数（例えば１枚または複数枚）の画像データを記録画像として選別し、選別された各画像データにその評価値をタグ情報として付加し、Ｅｘｉｆ等の所定のファイル形式でメモリカード１８に記録する。
【００３２】
この第２の実施の形態に係る電子カメラ２によれば、いわゆるレリーズボタンの一気押しが行なわれた場合においても精度良く画像の選別を行うことができる。
【００３３】
なお、上述の第２の実施の形態においては、半押しスイッチＳＷ２のオン（Ｓ１）と全押しスイッチＳＷ３のオン（Ｓ２）が略同時（例えばＳ１とＳ２の時間差が１秒以内）である、いわゆるレリーズボタンの一気押しが行なわれた場合に、図４の下部のグラフに示すようにポストキャプチャーで取得した画像データの評価値に対する重みを時間経過に従って小さくしているが、半押しスイッチＳＷ２のオン（Ｓ１）と全押しスイッチＳＷ３のオン（Ｓ２）の時間差に応じて、時間差が小さいほど重みを小さくする重みの低下の割合を大きくし、少ない枚数で重みが０になるようにしてもよい。
【００３４】
また、いわゆるレリーズボタンの一気押しが行なわれた場合に、半押しスイッチＳＷ２のオン（Ｓ１）前の被写体の状態に応じてポストキャプチャーで取得した画像データの評価値に対する重みを小さくする重みの低下の割合を変化させるようにしてもよい。例えば、被写体に動きがある場合には、被写体に動きがない場合に比較して、評価値に対する重みを小さくする重みの低下の割合を小さくするようにしてもよい。
【００３５】
また、いわゆるレリーズボタンの一気押しが行なわれた場合に、半押しスイッチＳＷ２のオン（Ｓ１）前後の画像の変化量が大きい場合には、変化量が小さい場合に比較して、評価値に対する重みを小さくする重みの低下の割合を小さくするようにしてもよい。
【００３６】
また、上述の第１の実施の形態において、いわゆるレリーズボタンの一気押しがなされた場合には、ポストキャプチャーで取得される画像データの数を減らす画像数減少制御を行い、第２の実施の形態において、いわゆるレリーズボタンの一気押しがなされた場合には、ポストキャプチャーで取得された画像データの評価値に対する重みを変化させる重み制御を行なっているが、画像数減少制御を行ないつつ重み制御を行うようにしても良い。
【００３７】
また、上述の実施の形態において、いわゆるレリーズボタンの一気押しがなされた場合に画像データを保持するメモリ残量が少ない場合には、画像数減少制御を行い、メモリ残量に余裕がある場合には重み制御を行うようにしてもよい。
【符号の説明】
【００３８】
２…電子カメラ、１０…制御部、１２…撮像素子、１４…ＬＣＤ表示部、１６…バッファメモリ、１７…プログラムメモリ、１８…メモリカード、２０…操作部
【図１】
0005720368.tif 000002
【図２】
0005720368.tif 000003
【図３】
0005720368.tif 000004
【図４】
0005720368.tif 000005